(57)【要約】【課題】一例として、電池の状況の検出精度の低下を低く抑えつつ、電池の状況検出の効率を向上させることができる組電池装置を得る。【解決手段】実施形態の組電池装置は、６個以上の電池と、導電部材群と、を備えた。前記導電部材群は、前記６個以上の電池を複数列の直列に接続して複数の直列電池群とした複数の第一の導電部材と、前記複数の直列電池群を並列に接続した一対の第二の導電部材と、を有し、前記複数の第一の導電部材のうちの一部が、前記複数の直列電池群のうちの二つ以上の前記直列電池群において前記一対の第二の導電部材の一方が設けられた前記電池から数えてそれぞれ同じ番目の前記電池を並列に接続した。【選択図】図２
2015032391.tif 000002
【特許請求の範囲】
【請求項１】
６個以上の電池と、
前記６個以上の電池を複数列の直列に接続して複数の直列電池群とした複数の第一の導電部材と、前記複数の直列電池群を並列に接続した一対の第二の導電部材と、を有し、前記複数の第一の導電部材のうちの一部が、前記複数の直列電池群のうちの二つ以上の前記直列電池群において前記一対の第二の導電部材の一方が設けられた前記電池から数えてそれぞれ同じ番目の前記電池を並列に接続した、導電部材群と、
を備えた組電池装置。
【請求項２】
前記電池は、一対の電極部を有し、
各前記電池の前記一対の電極部のうちの少なくとも一方が、前記第一の導電部材によって他の前記電池の前記電極部と直列にのみ接続された、請求項１に記載の組電池装置。
【請求項３】
前記電池は、一対の電極部を有し、
前記６個以上の電池の一部は、前記導電部材群によって、前記一対の電極部のそれぞれが他の前記電池の前記電極部と並列に接続された、請求項１に記載の組電池装置。
【請求項４】
前記第一の導電部材によって直列に接続された複数の電池を有した複数の電池列が並列にされた行列状に、前記６個以上の電池が配置され、
前記複数の電池列において該複数の電池列の並列方向での両端部に位置された前記電池列の各前記電池は、前記一対の電極部のうち少なくとも一方が、前記第一の導電部材によって他の一つの前記電池の前記電極部と直列にのみ接続され、
前記両端部以外に位置された前記電池列の各前記電池は、前記導電部材群によって、前記一対の電極部のそれぞれが他の前記電池の前記電極部と並列に接続された、請求項３に記載の組電池装置。
【請求項５】
前記第一の導電部材によって直列に接続された複数の電池を有した複数の電池列が並列にされた行列状に、前記６個以上の電池が配置され、
前記複数の電池列において該複数の電池列の並列方向での両端部に位置された前記電池列の各前記電池は、前記導電部材群によって、前記一対の電極部のそれぞれが他の前記電池の前記電極部と並列に接続され、
前記複数の電池列において該複数の電池列の並列方向での中央部に位置された前記電池列の各前記電池は、前記一対の電極部のうち少なくとも一方が、前記第一の導電部材によって他の一つの前記電池の前記電極部と直列にのみ接続された、請求項３に記載の組電池装置。
【請求項６】
前記第一の導電部材によって直列に接続された複数の電池を有した複数の電池列が並列にされた行列状に、前記６個以上の電池が配置され、
前記複数の電池列において該複数の電池列の並列方向での両端部に位置された前記電池列の各前記電池と、前記複数の電池列において該複数の電池列の並列方向での中央部に位置された前記電池列の各前記電池とは、前記一対の電極部のうち少なくとも一方が、前記第一の導電部材によって他の一つの前記電池の前記電極部と直列にのみ接続され、
前記６個以上の電池のうち、前記複数の電池列において該複数の電池列の並列方向での両端部に位置された前記電池列の各前記電池以外であって且つ前記複数の電池列において該複数の電池列の並列方向での中央部に位置された前記電池列の各前記電池以外の前記電池は、前記導電部材群によって、前記一対の電極部のそれぞれが他の前記電池の前記電極部と並列に接続された、請求項３に記載の組電池装置。
【請求項７】
８個以上の電池と、
前記８個以上の電池を複数列の直列に接続して複数の直列電池群とした複数の第一の導電部材と、前記複数の直列電池群を並列に接続した一対の第二の導電部材と、を有し、全ての前記複数の第一の導電部材が、前記複数の直列電池群のうちの二つ以上の前記直列電池群において前記一対の第二の導電部材の一方が設けられた前記電池から数えてそれぞれ同じ番目の前記電池を並列に接続し且つ前記直列電池群の数の２倍の数から２を減算した数以下の数の前記電池を接続した、導電部材群と、
を備えた組電池装置。
【請求項８】
各前記第一の導電部材および各前記第二の導電部材に接続され、前記電池の状態を検出する検出部を備えた、請求項１ないし７のいずれか一項に記載の組電池装置。
【請求項９】
前記検出部によって検出された前記電池の状態を示す情報が前記検出部から入力される管理装置を備えた、請求項８に記載の組電池装置。
【発明の詳細な説明】
【技術分野】
【０００１】
本発明の実施形態は、組電池装置に関する。
【背景技術】
【０００２】
従来、複数の電池が導電部材によって直列に接続された直列電池列を複数有し、これら複数の直列電池列が導電部材によって並列に接続された組電池装置が知られている。この種の組電池装置として、電池の状況の検出の一例として、導電部材の電圧を検出することで電池の電圧を検出するものがある。この組電池装置では、導電部材の数が電圧検出箇所の数となる。
【先行技術文献】
【特許文献】
【０００３】
【特許文献１】特開２０１３−３７８６１号公報
【発明の概要】
【発明が解決しようとする課題】
【０００４】
この種の電池では、一例として、電池の状況の検出精度の低下を低く抑えつつ、電池の状況検出の効率を向上させることが望まれている。
【課題を解決するための手段】
【０００５】
実施形態の組電池装置は、６個以上の電池と、導電部材群と、を備えた。前記導電部材群は、前記６個以上の電池を複数列の直列に接続して複数の直列電池群とした複数の第一の導電部材と、前記複数の直列電池群を並列に接続した一対の第二の導電部材と、を有し、前記複数の第一の導電部材のうちの一部が、前記複数の直列電池群のうちの二つ以上の前記直列電池群において前記一対の第二の導電部材の一方が設けられた前記電池から数えてそれぞれ同じ番目の前記電池を並列に接続した。
【図面の簡単な説明】
【０００６】
【図１】図１は、第１の実施形態にかかる組電池装置の構成の一例を模式的に示す図である。
【図２】図２は、第１の実施形態にかかる組電池装置における蓄電部の一例を示す平面図である。
【図３】図３は、第１の実施形態にかかる組電池装置における電池セルの一例を示す斜視図である。
【図４】図４は、第１の比較例の組電池装置における蓄電部を示す平面図である。
【図５】図５は、第２の比較例の組電池装置における蓄電部を示す平面図である。
【図６】図６は、第２の実施形態にかかる組電池装置における蓄電部の一例を示す平面図である。
【図７】図７は、第３の実施形態にかかる組電池装置における蓄電部の一例を示す平面図である。
【図８】図８は、第４の実施形態にかかる組電池装置における蓄電部の一例を示す平面図である。
【図９】図９は、第５の実施形態にかかる組電池装置における蓄電部の一例を示す平面図である。
【図１０】図１０は、第６の実施形態にかかる組電池装置における蓄電部の一例を示す平面図である。
【図１１】図１１は、第７の実施形態にかかる組電池装置における蓄電部の一例を示す斜視図である。
【図１２】図１２は、第７の実施形態にかかる組電池装置における蓄電部の一例を示す平面図である。
【図１３】図１３は、第８の実施形態にかかる組電池装置における蓄電部の一例を示す平面図である。
【図１４】図１４は、第９の実施形態にかかる組電池装置における蓄電部の一例を示す平面図である。
【図１５】図１５は、第９の実施形態の第１の変形例にかかる組電池装置における蓄電部の一例を示す平面図である。
【図１６】図１６は、第９の実施形態の第２の変形例にかかる組電池装置における蓄電部の一例を示す平面図である。
【図１７】図１７は、第１０の実施形態にかかる組電池装置における蓄電部の一例を示す平面図である。
【図１８】図１８は、第１０の実施形態の第１の変形例にかかる組電池装置における蓄電部の一例を示す平面図である。
【図１９】図１９は、第１０の実施形態の第２の変形例にかかる組電池装置における蓄電部の一例を示す平面図である。
【図２０】図２０は、第１０の実施形態の第３の変形例にかかる組電池装置における蓄電部の一例を示す平面図である。
【図２１】図２１は、第１１の実施形態にかかる組電池装置における蓄電部の一例を示す平面図である。
【図２２】図２２は、第１１の実施形態の第１の変形例にかかる組電池装置における蓄電部の一例を示す平面図である。
【図２３】図２３は、第１１の実施形態の第２の変形例にかかる組電池装置における蓄電部の一例を示す平面図である。
【図２４】図２４は、第１１の実施形態の第３の変形例にかかる組電池装置における蓄電部の一例を示す平面図である。
【図２５】図２５は、第１２の実施形態にかかる組電池装置における蓄電部の一例を示す平面図である。
【図２６】図２６は、第１２の実施形態の第１の変形例にかかる組電池装置における蓄電部の一例を示す平面図である。
【図２７】図２７は、第１２の実施形態の第２の変形例にかかる組電池装置における蓄電部の一例を示す平面図である。
【図２８】図２８は、第１２の実施形態の第３の変形例にかかる組電池装置における蓄電部の一例を示す平面図である。
【図２９】図２９は、第１２の実施形態の第４の変形例にかかる組電池装置における蓄電部の一例を示す平面図である。
【図３０】図３０は、第１２の実施形態の第５の変形例にかかる組電池装置における蓄電部の一例を示す平面図である。
【図３１】図３１は、第１２の実施形態の第６の変形例にかかる組電池装置における蓄電部の一例を示す平面図である。
【図３２】図３２は、第１２の実施形態の第７の変形例にかかる組電池装置における蓄電部の一例を示す平面図である。
【図３３】図３３は、第１２の実施形態の第８の変形例にかかる組電池装置における蓄電部の一例を示す平面図である。
【図３４】図３４は、第１２の実施形態の第９の変形例にかかる組電池装置における蓄電部の一例を示す平面図である。
【図３５】図３５は、第１２の実施形態の第１０の変形例にかかる組電池装置における蓄電部の一例を示す平面図である。
【図３６】図３６は、第１２の実施形態の第１１の変形例にかかる組電池装置における蓄電部の一例を示す平面図である。
【図３７】図３７は、第１２の実施形態の第１２の変形例にかかる組電池装置における蓄電部の一例を示す平面図である。
【図３８】図３８は、第１２の実施形態の第１３の変形例にかかる組電池装置における蓄電部の一例を示す平面図である。
【図３９】図３９は、第１２の実施形態の第１４の変形例にかかる組電池装置における蓄電部の一例を示す平面図である。
【発明を実施するための形態】
【０００７】
以下の例示的な複数の実施形態および変形例には、同様の構成要素が含まれている。よって、以下では、同様の構成要素には共通の符号が付されるとともに、重複する説明が省略される。
【０００８】
＜第１の実施形態＞
図１は、本実施形態にかかる組電池装置１の構成の一例を模式的に示す図である。図１に示すように、組電池装置１は、一例として、蓄電部２と、検出部３と、を備えている。
【０００９】
組電池装置１は、種々の装置や、機械、設備等に設置され、それら種々の装置や、機械、設備の電源として使用されうる。例えば、組電池装置１は、自動車や自転車（移動体）等の電源等、移動型の電源としても使用される他、例えば、ＰＯＳ（point  of  sales）システム用の電源等、定置型の電源としても使用される。また、種々の装置等には、本実施形態で示す組電池装置１を、直列あるいは並列に複数接続したセットとして搭載することができる。
【００１０】
図２は、本実施形態にかかる組電池装置１における蓄電部２の一例を示す平面図である。図２に示すように、蓄電部２は、導電部材群４によって相互に電気的に接続された複数の（詳細には６個以上）の電池セル５（電池セル５ａ１〜５ｅ４）を有し、一例としては、二次電池（蓄電池、充電式電池）として構成されうる。よって、蓄電部２は、電池モジュール、または電池ユニットと言うことができる。
【００１１】
電池セル５（電池、単電池）は、一例として、それぞれ、リチウムイオン二次電池として構成されることができる。なお、電池セル５は、ニッケル水素電池や、ニッケルカドミウム電池、鉛蓄電池等、他の二次電池であってもよい。リチウムイオン二次電池は、非水電解質二次電池の一種であり、電解質中のリチウムイオンが電気伝導を担う。正極材料としては、例えば、リチウムマンガン複合酸化物、リチウムニッケル複合酸化物、リチウムコバルト複合酸化物、リチウムニッケルコバルト複合酸化物、リチウムマンガンコバルト複合酸化物、スピネル型リチウムマンガンニッケル複合酸化物、オリビン構造を有するリチウムリン酸化物等が用いられ、負極材料としては、例えば、チタン酸リチウム（ＬＴＯ）等の酸化物系材料や、炭素質材料、シリコン系材料等が用いられる。また、電解質（一例としては電解液）としては、例えば、フッ素系錯塩（例えばＬｉＢＦ４、ＬｉＰＦ６）等のリチウム塩が配合された、例えば、炭酸エチレンや炭酸プロピレン、炭酸ジエチル、炭酸エチルメチル、炭酸ジメチル等の有機溶媒等が単独であるいは複数混合されて用いられる。
【００１２】
図３は、本実施形態にかかる組電池装置１における電池セル５の一例を示す斜視図である。図３に示すように、電池セル５は、一例として、容器１１と、容器１１から突出した一対の電極部としての正電極部１２（電極端子）および負電極部１３（電極端子）と、を有している。容器１１内には、一例として、電極体と電解液とが収容されている。電極体は、一例として、発電要素である正極シートおよび負極シートがセパレータを介してスパイラル状に巻かれて形成されうる。また、電極体は、一例として、正極シートおよび負極シートがセパレータを介して積層されて形成されうる。電極体の正極シートおよび負極シートに、正電極部１２および負電極部１３がそれぞれ接続されている。
【００１３】
容器１１は、一例として、扁平な概略直方体形状に形成されている。容器１１は、例えば、金属材料や合成樹脂材料等で構成されうる。また、容器１１は、一例として、絶縁性材料で構成された場合、その内面（表面）は、例えば絶縁層が設けられる。また、容器１１の金属材料としては、例えば、アルミニウムやアルミニウム合金、ステンレス等を用いることができる。また、容器１１の合成樹脂材料としては、例えば、絶縁性を有した合成樹脂材料（例えば、変性ＰＰＥ（ポリフェニレンエーテル）や、ＰＦＡ（パーフルオロアルコキシアルカン、テトラフルオロエチレン・パーフルオロアルキルビニルエーテル共重合体）等）を用いることができる。また、容器１１の合成樹脂材料としては、熱可塑性樹脂を用いることができ、例えば、ＰＥや、ＰＰ、ＰＭＰ等のオレフィン樹脂、ＰＥＴや、ＰＢＴ、ＰＥＮ等のポリエステル系樹脂、ＰＯＭ樹脂、ＰＡ６、ＰＡ６６、ＰＡ１２等のポリアミド系樹脂、ＰＰＳ樹脂、ＬＣＰ樹脂等の結晶性樹脂およびそれらのアロイ樹脂、あるいは、ＰＳや、ＰＣ、ＰＣ／ＡＢＳ、ＡＢＳ、ＡＳ、変性ＰＰＥ、ＰＥＳ、ＰＥＩ、ＰＳＦ等の非結晶性樹脂およびそれらのアロイ樹脂を、用いることができる。
【００１４】
容器１１は、一例として、長方形の天面１１ａと、天面１１ａの反対側の底面１１ｂと、天面１１ａと底面１１ｂとに亘って設けられた筒状の亘面１１ｃ（側面）と、を有している。
【００１５】
正電極部１２と負電極部１３とは、天面１１ａに設けられて、天面１１ａから突出している。正電極部１２と負電極部１３とは、天面１１ａの長手方向に間隔をあけて配置されている。正電極部１２と負電極部１３とは、それぞれ導電性材料によって構成されている。
【００１６】
本実施形態では、一例として、図２に示すように、複数の電池セル５は、行列状に配置されている。本実施形態では、一例として、それぞれ４個の電池セル５で構成された５列の電池列６Ａ〜６Ｅが並列配置されている。１列目の電池列６Ａは、電池セル５ａ１〜５ａ４によって構成されている。２列目の電池列６Ｂは、電池セル５ｂ１〜５ｂ４によって構成されている。３列目の電池列６Ｃは、電池セル５ｃ１〜５ｃ４によって構成されている。４列目の電池列６Ｄは、電池セル５ｄ１〜５ｄ４によって構成されている。５列目の電池列６Ｅは、電池セル５ｅ１〜５ｅ４によって構成されている。各電池列６Ａ〜６Ｅの電池セル５はそれぞれ直列に接続され、各電池列６Ａ〜６Ｅは並列に接続されている。なお、図中のＸ方向は、電池列６Ａ〜６Ｅにおける電池セル５の並び方向を示し、Ｙ方向は、複数の電池列６Ａ〜６Ｅ同士の並び方向を示している。
【００１７】
本実施形態では、一例として、図２に示すように、導電部材群４は、複数種類の導電部材２１〜２３（バスバー、結合具）を有している。これらの導電部材２１〜２３は、導電性材料によって構成されている。本実施形態では、導電部材２１，２２は、複数の第一の導電部材の一例であり、導電部材２３は、第二の導電部材の一例である。
【００１８】
導電部材２１（直列導電部材）は、２個の電池セル５を直列にのみ接続するものである。詳細には、導電部材２１は、２個の電池セル５のうちの一方の電池セル５の正電極部１２と、２個の電池セル５のうちの他方の電池セル５の負電極部１３とに結合され、これら正電極部１２と負電極部１３とを電気的に接続する。導電部材２１は、一例として、１０個（複数）設けられている。
【００１９】
導電部材２２（直並列導電部材）は、４個以上、一例として１０個の電池セル５を直並列（直列および並列）に接続するものである。詳細には、導電部材２２は、２個以上、一例として５個の電池セル５の正電極部１２と、これら電池セル５とは別の２個以上、一例として５個の電池セル５の負電極部１３と、に結合され、これら正電極部１２と負電極部１３とを電気的に接続する。導電部材２２は、一例として１個設けられている。
【００２０】
導電部材２３（並列導電部材）は、複数の電池セル５を並列にのみ接続するものである。導電部材２３は、一対（２個）設けられている。詳細には、一対の導電部材２３のうちの一方は、複数の電池セル５の正電極部１２に結合され、これら正電極部１２を電気的に接続する。一対の導電部材２３のうちの他方は、別の複数の電池セル５の負電極部１３に結合され、これら負電極部１３を電気的に接続する。
【００２１】
本実施形態では、一例として、導電部材２１，２２が、複数の電池セル５を複数列の直列に接続して複数（一例として５個）の直列電池群７Ａ〜７Ｅとしている。詳細には、直列電池群７Ａは、１列目の電池列６Ａ（電池セル５ａ１〜５ａ４）によって構成されている。直列電池群７Ｂは、２列目の電池列６Ｂ（電池セル５ｂ１〜５ｂ４）によって構成されている。直列電池群７Ｃは、３列目の電池列６Ｃ（電池セル５ｃ１〜５ｃ４）によって構成されている。直列電池群７Ｄは、４列目の電池列６Ｄ（電池セル５ｄ１〜５ｄ４）によって構成されている。直列電池群７Ｅは、５列目の電池列６Ｅ（電池セル５ｅ１〜５ｅ４）によって構成されている。これら複数の直列電池群７Ａ〜７Ｅは、一対の導電部材２３によって並列に接続されている。以上から分かるように、本実施形態では、導電部材２１，２２によって直列に接続された複数の電池セル５を有した複数の電池列６Ａ〜６Ｅが並列にされた行列状に、複数の電池セル５が配置されている。
【００２２】
また、本実施形態では、各電池セル５は、導電部材２１によって、他の電池セル５と接続されている。即ち、本実施形態では、各電池セル５は、一対の正電極部１２および負電極部１３のうちの少なくとも一方、一例として一方が導電部材２１によって他の電池セル５の正電極部１２または負電極部１３と直列にのみ接続されている。
【００２３】
また、本実施形態では、導電部材２２は、複数の直列電池群７Ａ〜７Ｅのうちの二つ以上の直列電池群７Ａ〜７Ｅにおいて、一対の第二の導電部材２３の一方が設けられた電池セル５から数えてそれぞれ同じ番目の電池セル５を並列に接続している。一例として、導電部材２２は、図２中の左側の導電部材２３が設けられた電池セル５ａ１，５ｂ１，５ｃ１，５ｄ１，５ｅ１から数えて２番目の電池セル５ａ２，５ｂ２，５ｃ２，５ｄ２，５ｅ２を並列に接続するとともに、電池セル５ａ１，５ｂ１，５ｃ１，５ｄ１，５ｅ１から数えて３番目の電池セル５ａ３，５ｂ３，５ｃ３，５ｄ３，５ｅ３を並列に接続している。ここで、同じ番目の電池セル５同士は、理論上同電位である。
【００２４】
以上から分かるように、本実施形態では、導電部材群４において、電池セル５を並列に接続した導電部材２２，２３（複数の並列接続部分）の間には、電池セル５を直列にだけ接続した導電部材２１（直列接続部分）が配置されており、導電部材２２，２３同士は、直列電池群７Ａ〜７Ｅの直列方向（Ｘ方向）で隣同士となっていない。
【００２５】
また、本実施形態では、一例として、図１に示された検出部３（監視部）は、電子回路によって構成され、電池セル５の状態として電池セル５の電圧を検出（測定、監視）する。検出部３は、各導電部材２１〜２３に接続されて、各電池セル５それぞれの正電極部１２および負電極部１３間の電圧をセル電圧として検出する。詳細には、検出部３は、検出端子（図示せず）を各導電部材２１〜２３に一つずつ接触させており、電池セル５の正電極部１２に結合された導電部材２１，２２または２３と、電池セル５の負電極部１３に結合された導電部材２１，２２または２３と、の間の電圧をセル電圧として検出する。検出部３の検出端子は、一例として、導電部材２１〜２３の接触部４ａ（測定点）に接触している。接触部４ａは、例えば、各導電部材２１〜２３の中央部や中央部近傍に位置された導電部材２１〜２３の表面部分であることが好適である。なお、検出部３が検出する電池セル５の状態としては、電池セル５の温度等であってもよい。この場合も、温度の測定点は、導電部材２１〜２３の接触部４ａであってよい。検出部３は、検出した各電池セル５の電圧を示す情報を管理装置９（制御装置）に出力する。即ち、管理装置９には、検出部３によって検出された各電池セル５の電圧（状態）を示す情報が検出部３から入力される。管理装置９は、検出部３の起動等の制御や、蓄電部２（電池セル５）の管理（状態把握）、蓄電部２（電池セル５）の充放電制御等を行う。管理装置９は、一例として、制御部と記憶部とを有している。制御部は、例えば、ＭＰＵ（Micro  Processing  Unit）等によって構成されうる。また、記憶部は、ＲＯＭ（Read  Only  Memory）やＥＥＰＲＯＭ（Electronically  Erasable  and  Programmable  Read  Only  Memory）、ＲＡＭ（Random  Access  Memory）等を有して構成されうる。なお、電池管理装置９のハードウエアの構成はあくまで一例であって、例えばチップやパッケージにする等、種々に変形して実施することが可能である。
【００２６】
以上の構成の本実施形態の組電池装置１では、全ての電池セル５のそれぞれの電圧を検出するのに必要な電圧測定点の数、つまり接触部４ａの数（検出部３の検出端子の数）は、導電部材２１〜２３の数と同じであり、１３箇所である。また、全ての電池セル５は、正電極部１２および負電極部１３のうちの少なくとも一方（具体的には一方）が導電部材２１に結合されている。このように、各電池セル５の正電極部１２および負電極部１３のうちの少なくとも一方（具体的には一方）が導電部材２１に結合されていることにより、各電池セル５の正電極部１２および負電極部１３のうちの少なくとも一方の電圧を個別に検出できるので、電池セル５の電圧検出精度が比較的高い。
【００２７】
次に、比較例について説明する。図４は、第１の比較例の組電池装置１０１における蓄電部１０２を示す平面図である。図４に示すように、第１の比較例の組電池装置１０１は、蓄電部１０２の導電部材群１０４が、本実施形態の導電部材群４と異なる。第１の比較例の導電部材群１０４は、１５個の導電部材２１と一対の導電部材２３とから構成され、導電部材２２を有していない。かかる構成の第１の比較例の組電池装置１０１において、全ての電池セル５のそれぞれの電圧を検出するのに必要な電圧測定点の数、つまり接触部４ａの数は、導電部材２１，２３の数と同じであり、１７箇所である。また、全ての電池セル５は、正電極部１２および負電極部１３のうちの少なくとも一方が導電部材２１に結合されている。この第１の比較例の組電池装置１０１では、各電池セル５の正電極部１２および負電極部１３のうちの少なくとも一方の電圧を個別に検出できるので、各電池セル５の電圧検出精度は高いが、電圧測定点の数が比較的多い。
【００２８】
図５は、第２の比較例の組電池装置２０１における蓄電部２０２を示す平面図である。図５に示すように、第２の比較例の組電池装置２０１は、蓄電部２０２の導電部材群２０４が、本実施形態の導電部材群４と異なる。第２の比較例の導電部材群２０４は、３個の導電部材２２と一対の導電部材２３とから構成され、導電部材２１を有していない。かかる構成の第２の比較例の組電池装置２０１において、全ての電池セル５のそれぞれの電圧を検出するのに必要な電圧測定点の数、つまり接触部４ａの数は、導電部材２２，２３の数と同じであり、５箇所である。また、正電極部１２および負電極部１３のうちの少なくとも一方が導電部材２１に結合された電池セル５は、存在しない。この第２の比較例の組電池装置２０１では、電圧測定点の数は比較的少ないが、各電池測定点で測定される電圧は並列接続された５個の電池セル５の電圧の平均値となってしまい、各電池５の電圧検出精度が比較的低い。このため、例えば、電池セル５の１個に異常が発生した場合でも、その異常を検出し難い。
【００２９】
これら第１および第２の比較例に対して、本実施形態では、導電部材２１〜２３によって、各電池セル５を接続していることにより、各電池セル５の正電極部１２および負電極部１３のうちの少なくとも一方の電圧を個別に検出できるので、各電池セル５の電圧検出精度が高いとともに、電圧測定点の数が比較的少ない。
【００３０】
以上説明したとおり、本実施形態では、導電部材群４は、６個以上の電池セル５を複数列の直列に接続して複数の直列電池群７Ａ〜７Ｅとした導電部材２１，２２と、直列電池群７Ａ〜７Ｅを並列に接続した一対の導電部材２３と、を有している。そして、導電部材２１，２２のうちの一部である導電部材２２が、直列電池群７Ａ〜７Ｅのうちの二つ以上の（一例として全ての）直列電池群７Ａ〜７Ｅにおいて一対の導電部材２３の一方が設けられた電池セル５から数えてそれぞれ同じ番目の電池セル５を並列に接続した。したがって、本実施形態によれば、一例として、第２の比較例と比較して、電池セル５の状況の検出精度の低下を低く抑えつつ、第１の比較例と比較して、電池セル５の状況検出の効率を向上させることができる。
【００３１】
ここで、第１の比較例では、電池セル５の数が増加するにつれ、各電池セル５の電圧を検出するための配線の複雑化やデータ数の増加による検出部３の負荷が増大するが、本実施形態では、導電部材２１，２２のうちの一部である導電部材２２が、直列電池群７Ａ〜７Ｅのうちの二つ以上の（一例として全ての）直列電池群７Ａ〜７Ｅにおいて一対の導電部材２３の一方が設けられた電池セル５から数えてそれぞれ同じ番目の電池セル５を並列に接続したことにより、各電池セル５の電圧を検出するための配線の複雑化やデータ数の増加による検出部３の負荷の増大を抑制することができる。
【００３２】
また、本実施形態では、各電池セル５の一対の正電極部１２および負電極部１３のうちの少なくとも一方が、導電部材２２によって他の電池セル５の電極部（正電極部１２または負電極部１３）と直列にのみ接続された。したがって、本実施形態によれば、一例として、各電池セル５の正電極部１２および負電極部１３のうちの少なくとも一方の電圧を個別に検出できるので、個々の電池セル５に電圧の異常が発生した場合、その異常を検出し易い。
【００３３】
＜第２の実施形態＞
図６は、本実施形態にかかる組電池装置１における蓄電部２の一例を示す平面図である。図６に示すように、本実施形態は、複数の電池セル５の配置は第１の実施形態と同じであるが、複数の電池セル５を接続した導電部材群４の構成が第１の実施形態と異なる。
【００３４】
本実施形態では、導電部材群４は、複数の導電部材２１，２２，２２Ａ，２３を有している。導電部材２１，２２，２２Ａは、複数の第一の導電部材の一例である。導電部材２２Ａ（直並列導電部材）は、一例として、６個の電池セル５を直並列（直列および並列）に接続するものである。詳細には、導電部材２２Ａは、３個の電池セル５の正電極部１２と、これら電池セル５とは別の３個の電池セル５の負電極部１３と、に結合され、これら正電極部１２と負電極部１３とを電気的に接続する。
【００３５】
また、本実施形態では、複数の電池列６Ａ〜６Ｅにおいて該複数の電池列６Ａ〜６Ｅの並列方向（Ｙ方向）での両端部に位置された電池列６Ａ，６Ｅの電池セル５は、一対の電極部（正電極部１２および負電極部１３）のうち少なくとも一方が、導電部材２１によって他の一つの電池セル５の電極部（正電極部１２または負電極部１３）と直列にのみ接続されている。かかる構成により、本実施形態では、検出部３が、複数の電池列６Ａ〜６Ｅの並列方向（Ｙ方向）での両端部に位置された電池列６Ａ，６Ｅの電池セル５の正電極部１２および負電極部１３の少なくとも一方の電圧を個別に検出することができる。
【００３６】
また、本実施形態では、複数の電池列６Ａ〜６Ｅの並列方向（Ｙ方向）での両端部以外に位置された電池列６Ｂ〜６Ｄの電池セル５は、導電部材群４（導電部材２２，２２Ａ，２３）によって、一対の電極部（正電極部１２または負電極部１３）のそれぞれが他の電池セル５の電極部（正電極部１２または負電極部１３）と並列に接続されている。本実施形態では、電池セル５を並列に接続した複数の部分としての導電部材２２，２２Ａ，２３が、直列電池群７Ａ〜７Ｅにおける直列接続方向で隣に位置されている。かかる構成によって、本実施形態では、複数（６個以上）の電池セル５の一部である電池セル５ｂ１〜５ｂ４，５ｃ１〜５ｃ４，５ｄ１〜５ｄ４が、導電部材群４によって、一対の電極部（正電極部１２および負電極部１３）のそれぞれが他の電池セル５の電極部（正電極部１２または負電極部１３）と並列に接続されている。かかる構成では、検出部３は、電池列６Ｂ〜６Ｄの電池セル５においては、他の電池セル５と並列接続された状態の正電極部１２および負電極部１３の電圧を検出する。本実施形態の電圧検出箇所（接触部４ａ）の数は、９箇所である。
【００３７】
以上説明したとおり、本実施形態では、検出部３は、複数の電池列６Ａ〜６Ｅにおいて該複数の電池列６Ａ〜６Ｅの並列方向（Ｙ方向）での両端部に位置された電池列６Ａ，６Ｅの電池セル５の正電極部１２および負電極部１３の少なくとも一方の電圧を、個別に検出する。一方、複数の電池列６Ａ〜６Ｅの並列方向（Ｙ方向）での両端部以外に位置された電池列６Ｂ〜６Ｄの電池セル５については、他の電池セル５と並列接続された状態の正電極部１２および負電極部１３の電圧を、検出部３が検出する。つまり、本実施形態では、組電池装置１の周囲の環境温度の影響を比較的受けやすい、電池列６Ａ〜６Ｅの並列方向（Ｙ方向）での両端部（外側）に位置された電池列６Ａ，６Ｅの電池セル５については、正電極部１２および負電極部１３の少なくとも一方の電圧を、個別に検出する。また、組電池装置１の周囲の環境温度の影響を比較的受け難い、複数の電池列６Ａ〜６Ｅの並列方向（Ｙ方向）での両端部以外（内側）に位置された電池列６Ｂ〜６Ｄの電池セル５については、他の電池セル５と並列接続された状態の正電極部１２および負電極部１３の電圧を、検出する。
【００３８】
ここで、例えば、低温度環境下で組電池装置１が使用される場合、電池セル５の発熱により蓄電部２内で温度差が発生するが、電池列６Ａ〜６Ｅの並列方向での両端部に位置された電池列６Ａ，６Ｅの電池セル５は、電池列６Ａ〜６Ｅの並列方向での両端部以外に位置された電池列６Ｂ〜６Ｄよりも温度が低くなる場合がある。このため、電池列６Ａ，６Ｅの電池セル５は、電池列６Ｂ〜６Ｄの電池セル５と比較して、内部抵抗が大きくなり、その結果、電池列６Ｂ〜６Ｄの電池セル５と比較して電圧変化が大きくなることがある。これに対して、本実施形態では、複数の電池列６Ａ〜６Ｅの並列方向（Ｙ方向）での両端部に位置された電池列６Ａ，６Ｅの電池セル５の正電極部１２および負電極部１３の少なくとも一方の電圧を、個別に検出するので、全体的な電圧測定点が比較的少ない構成においても、組電池装置１の性能を維持した状態で組電池装置１を使用することができる。
【００３９】
＜第３の実施形態＞
図７は、本実施形態にかかる組電池装置１における蓄電部２の一例を示す平面図である。図７に示すように、本実施形態は、複数の電池セル５の配置は第１の実施形態と同じであるが、複数の電池セル５を接続した導電部材群４の構成が第１の実施形態と異なる。
【００４０】
本実施形態では、導電部材群４は、複数の導電部材２１，２２，２２Ｂ，２３を有している。導電部材２１，２２，２２Ｂは、複数の第一の導電部材の一例である。導電部材２２Ｂ（直並列導電部材）は、一例として、４個の電池セル５を直並列（直列および並列）に接続するものである。詳細には、導電部材２２Ｂは、２個の電池セル５の正電極部１２と、これら電池セル５とは別の２個の電池セル５の負電極部１３と、に結合され、これら正電極部１２と負電極部１３とを電気的に接続する。
【００４１】
また、本実施形態では、複数の電池列６Ａ〜６Ｅにおいて該複数の電池列６Ａ〜６Ｅの並列方向での両端部に位置された電池列６Ａ，６Ｅの各電池セル５は、導電部材群４（導電部材２２，２２Ｂ，２３）によって、一対の電極部（正電極部１２および負電極部１３）のそれぞれが他の電池セル５の電極部（正電極部１２または負電極部１３）と並列に接続されている。本実施形態では、電池セル５を並列に接続した複数の部分としての導電部材２２，２２Ｂ，２３が、直列電池群７Ａ〜７Ｅにおける直列接続方向で隣に位置されている。詳細には、直列電池群７Ａ〜７Ｅにおける直列接続方向で、一対の導電部材２３間に導電部材２２が位置されているとともに、導電部材２２，２３間に導電部材２２Ｂが位置されている。かかる構成によって、本実施形態では、複数（６個以上）の電池セル５の一部である電池セル５ａ１〜５ａ４，５ｂ１〜５ｂ４，５ｄ１〜５ｄ４，５ｅ１〜５ｅ４が、導電部材群４によって、一対の電極部（正電極部１２および負電極部１３）のそれぞれが他の電池セル５の電極部（正電極部１２または負電極部１３）と並列に接続されている。かかる構成では、検出部３は、電池列６Ａ，６Ｂ，６Ｄ，６Ｅの電池セル５においては、他の電池セル５と並列接続された状態の正電極部１２および負電極部１３の電圧を検出する。本実施形態の電圧検出箇所（接触部４ａ）の数は、９箇所である。
【００４２】
また、本実施形態では、複数の電池列６Ａ〜６Ｅにおいて該複数の電池列６Ａ〜６Ｅの並列方向での中央部に位置された前記電池列６Ｃの各電池セル５は、一対の電極部（正電極部１２および負電極部１３）のうち少なくとも一方が、導電部材２１によって他の一つの電池セル５の電極部（正電極部１２または負電極部１３）と直列にのみ接続されている。ここで、複数の電池列の並列方向での中央部とは、電池列の数が奇数の場合には、中央に位置された一つの電池列であり、電池列の数が偶数の場合には、その中央に位置された二つの電池列である。かかる構成により、本実施形態では、検出部３が、複数の電池列６Ａ〜６Ｅの並列方向（Ｙ方向）での中央部に位置された電池列６Ｃの電池セル５の正電極部１２および負電極部１３の少なくとも一方の電圧を個別に検出することができる。
【００４３】
以上説明したとおり、本実施形態では、検出部３は、複数の電池列６Ａ〜６Ｅにおいて該複数の電池列６Ａ〜６Ｅの並列方向（Ｙ方向）での中央部に位置された電池列６Ｃの電池セル５の正電極部１２および負電極部１３の少なくとも一方の電圧を、個別に検出する。一方、複数の電池列６Ａ〜６Ｅの並列方向（Ｙ方向）での両端部に位置された電池列６Ａ，６Ｅの電池セル５については、他の電池セル５と並列接続された状態の正電極部１２および負電極部１３の電圧を、検出部３が検出する。つまり、本実施形態では、組電池装置１の動作時に、比較的熱を蓄熱し易い電池列６Ａ〜６Ｅの並列方向（Ｙ方向）での中央部に位置された電池列６Ｃの電池セル５については、正電極部１２および負電極部１３の少なくとも一方の電圧を、個別に検出し、組電池装置１の動作時に、比較的熱を放熱し易く蓄熱が比較的小さい、複数の電池列６Ａ〜６Ｅの並列方向（Ｙ方向）での両端部に位置された電池列６Ａ，６Ｅの電池セル５については、他の電池セル５と並列接続された状態の正電極部１２および負電極部１３の電圧を、検出する。
【００４４】
ここで、例えば、高温環境下で組電池装置１が使用される場合、比較的高温となる複数の電池列６Ａ〜６Ｅの並列方向（Ｙ方向）での中央部に位置された電池列６Ｃの電池セル５は、電池列６Ａ〜６Ｅの並列方向での両端部に位置され比較的温度上昇が小さい電池列６Ａ，６Ｅの電池セル５よりも、劣化が早く進むことがある。このため、電池列６Ｃの電池セル５の電圧変化が、電池列６Ａ，６Ｂ，６Ｄ，６Ｅの電池セル５と比較して大きくなることがある。これに対して、本実施形態では、複数の電池列６Ａ〜６Ｅの並列方向（Ｙ方向）での中央部に位置された電池列６Ｃの電池セル５の正電極部１２および負電極部１３の少なくとも一方の電圧を、個別に検出するので、全体的な電圧測定点が比較的少ない構成においても、組電池装置１の性能を維持した状態で組電池装置１を使用することができる。
【００４５】
＜第４の実施形態＞
図８は、本実施形態にかかる組電池装置１における蓄電部２の一例を示す平面図である。図８に示すように、本実施形態は、電池セル５の数および配置と、導電部材群４の構成とが第１の実施形態と異なる。
【００４６】
本実施形態では、一例として、複数の電池セル５は、行列状に配置されている。本実施形態では、一例として、それぞれ４個の電池セル５で構成された１０列の電池列６Ａ〜６Ｊが並列配置されている。１列目の電池列６Ａは、電池セル５ａ１〜５ａ４によって構成されている。２列目の電池列６Ｂは、電池セル５ｂ１〜５ｂ４によって構成されている。３列目の電池列６Ｃは、電池セル５ｃ１〜５ｃ４によって構成されている。４列目の電池列６Ｄは、電池セル５ｄ１〜５ｄ４によって構成されている。５列目の電池列６Ｅは、電池セル５ｅ１〜５ｅ４によって構成されている。６列目の電池列６Ｆは、電池セル５ｆ１〜５ｆ４によって構成されている。７列目の電池列６Ｇは、電池セル５ｇ１〜５ｇ４によって構成されている。８列目の電池列６Ｈは、電池セル５ｈ１〜５ｈ４によって構成されている。９列目の電池列６Ｉは、電池セル５ｉ１〜５ｉ４によって構成されている。１０列目の電池列６Ｊは、電池セル５ｊ１〜５ｊ４によって構成されている。
【００４７】
導電部材群４は、導電部材２１，２２，２２Ａ，２２Ｃを有している。導電部材２２Ｃ（直並列導電部材）は、１０個の電池セル５を直並列（直列および並列）に接続するものである。詳細には、導電部材２２Ｃは、５個の電池セル５の正電極部１２と、これら電池セル５とは別の５個の電池セル５の負電極部１３と、に結合され、これら正電極部１２と負電極部１３とを電気的に接続する。導電部材２２Ｃは、一例として１個設けられている。
【００４８】
本実施形態では、導電部材２１，２２，２２Ａ，２２Ｃは、複数の第一の導電部材の一例である。導電部材群４は、導電部材２１，２２，２２Ａによって、各電池列６Ａ〜６Ｊにおいて電池セル５を直列に接続している。また、導電部材群４は、導電部材２２Ｃによって、電池列６Ａ〜６Ｅと電池列６Ｆ〜６Ｊとを直並列に接続している。
【００４９】
また、本実施形態では、一例として、導電部材２１，２２，２２Ａ，２２Ｃが、複数の電池セル５を複数列の直列に接続して複数（一例として５個）の直列電池群７Ａ〜７Ｅとしている。詳細には、一例として、直列電池群７Ａは、１列目の電池列６Ａ（電池セル５ａ１〜５ａ４）と、１０行目の電池列６Ｊ（電池セル５ｊ１〜５ｊ４）とによって構成されている。直列電池群７Ｂは、２列目の電池列６Ｂ（電池セル５ｂ１〜５ｂ４）と、９列目の電池列６Ｉ（電池セル５ｉ１〜５ｉ４）とによって構成されている。直列電池群７Ｃは、３列目の電池列６Ｃ（電池セル５ｃ１〜５ｃ４）と、８列目の電池列６Ｈ（電池セル５ｈ１〜５ｈ４）とによって構成されている。直列電池群７Ｄは、４列目の電池列６Ｄ（電池セル５ｄ１〜５ｄ４）と、７列目の電池列６Ｇ（電池セル５ｇ１〜５ｇ４）とによって構成されている。直列電池群７Ｅは、５列目の電池列６Ｅ（電池セル５ｅ１〜５ｅ４）と、６列目の電池列６Ｆ（電池セル５ｆ１〜５ｆ４）とによって構成されている。これら複数の直列電池群７Ａ〜７Ｅは、一対の導電部材２３によって並列に接続されている。以上から分かるように、本実施形態では、導電部材２１，２２，２２Ａによって直列に接続された複数の電池セル５を有した複数の電池列６Ａ〜６Ｊが並列にされた行列状に、複数の電池セル５が配置されている。
【００５０】
また、本実施形態では、複数の電池列６Ａ〜６Ｊにおいて該複数の電池列６Ａ〜６Ｊの並列方向での両端部に位置された電池列６Ａ，６Ｊの各電池セル５と、複数の電池列６Ａ〜６Ｊにおいて該複数の電池列６Ａ〜６Ｊの並列方向での中央部に位置された電池列６Ｅ，６Ｆの電池セル５とは、一対の電極部（正電極部１２および負電極部１３）のうち少なくとも一方が、導電部材２１によって他の一つの電池セル５の電極部（正電極部１２または負電極部１３）と直列にのみ接続されている。かかる構成により、本実施形態では、検出部３が、複数の電池列６Ａ〜６Ｊの並列方向（Ｙ方向）での両端部と中央部に位置された電池列６Ａ，６Ｅ，６Ｆ，６Ｊの電池セル５の正電極部１２および負電極部１３の少なくとも一方の電圧を個別に検出することができる。
【００５１】
また、本実施形態では、電池列６Ｂ〜６Ｄ，６Ｇ〜６Ｉの電池セル５は、導電部材群４によって、一対の電極部（正電極部１２および負電極部１３）のそれぞれが他の電池セル５の電極部（正電極部１２または負電極部１３）と並列に接続されている。本実施形態では、電池列６Ｂ〜６Ｄ，６Ｇ〜６Ｉの電池セル５は、複数の電池セル５のうち、複数の電池列６Ａ〜６Ｊにおいて該複数の電池列６Ａ〜６Ｊの並列方向での両端部に位置された前記電池列６Ａ，６Ｊの各電池セル５以外であって且つ複数の電池列６Ａ〜６Ｊにおいて該複数の電池列６Ａ〜６Ｊの並列方向での中央部に位置された電池列６Ｅ，６Ｆの電池セル５以外の電池セル５の一例である。
【００５２】
以上説明したとおり、本実施形態では、複数の電池列６Ａ〜６Ｊにおいて該複数の電池列６Ａ〜６Ｊの並列方向での両端部および中央部に位置された電池列６Ａ，６Ｅ，６Ｆ，６Ｊの各電池セル５は、一対の電極部（正電極部１２および負電極部１３）のうち少なくとも一方が、導電部材２１によって他の一つの電池セル５の電極部（正電極部１２または負電極部１３）と直列にのみ接続されている。かかる構成により、本実施形態では、検出部３が、複数の電池列６Ａ〜６Ｊの並列方向（Ｙ方向）での両端部と中央部に位置された電池列６Ａ，６Ｅ，６Ｆ，６Ｊの電池セル５の正電極部１２および負電極部１３の少なくとも一方の電圧を個別に検出することができる。よって、全体的な電圧測定点が比較的少ない構成においても、組電池装置１の性能を維持した状態で組電池装置１を使用することができる。
【００５３】
＜第５の実施形態＞
図９は、本実施形態にかかる組電池装置１における蓄電部２の一例を示す平面図である。図９に示すように、本実施形態は、導電部材群４が導電部材２１，２２Ａ，２３の他に導電部材２２Ｂを有する点が、第２の実施形態に対して異なる。一例として、導電部材２２Ｂは２個設けられている。一方の導電部材２２Ｂは、電池セル５ａ２，５ａ３，５ｂ２，５ｂ３を直並列に接続し、他方の導電部材２２Ｂは、電池セル５ｄ２，５ｄ３，５ｅ２，５ｅ３を直並列に接続している。
【００５４】
＜第６の実施形態＞
図１０は、本実施形態にかかる組電池装置１における蓄電部２の一例を示す平面図である。図１０に示すように、本実施形態は、導電部材群４の構成が第１の実施形態に対して異なる。
【００５５】
本実施形態では、導電部材群４は、複数、一例として３個の導電部材２２Ａと、複数、一例として３個の導電部材２２Ｂと、一対の導電部材２３と、を有している。本実施形態では、導電部材２２Ａ，２２Ｂが、複数の第一の導電部材の一例である。
【００５６】
本実施形態では、導電部材群４は、導電部材２２Ａ，２２Ｂによって、複数（８個以上）の電池セル５を複数列の直列に接続して複数の直列電池群７Ａ〜７Ｅとしている。また、導電部材群４は、一対の導電部材２３によって、複数の直列電池群７Ａ〜７Ｅを並列に接続している。
【００５７】
そして、本実施形態では、全ての導電部材２２Ａ，２２Ｂは、複数の直列電池群７Ａ〜７Ｅのうちの二つ以上の直列電池群７Ａ〜７Ｅにおいて一対の導電部材２３の一方が設けられた電池セル５（一例として、電池セル５ａ１，５ｂ１，５ｃ１，５ｄ１，５ｅ１）から数えてそれぞれ同じ番目の電池セル５を並列に接続し且つ直列電池群７Ａ〜７Ｅの数の２倍の数から２を減算した数以下の数の電池セル５を接続している。
【００５８】
例えば、図１０中の３個の導電部材２２Ａのうち左に位置された導電部材２２Ａは、複数の直列電池群７Ａ〜７Ｅのうちの３個の直列電池群７Ａ〜７Ｃにおいて一対の導電部材２３の一方が設けられた電池セル５ａ１，５ｂ１，５ｃ１から数えてそれぞれ同じ番目の電池セル５である、電池セル５ａ１，５ｂ１，５ｃ１を並列に接続するとともに、上記同じ番目の電池セル５である電池セル５ａ２，５ｂ２，５ｃ２を並列に接続している。また、該導電部材２２Ａは、直列電池群７Ａ〜７Ｅの数の２倍の数から２を減算した数以下の数、つまり本実施形態では５×２−２＝８以下の数である６個の電池セル５ａ１，５ａ２，５ｂ１，５ｂ２，５ｃ１，５ｃ２を接続している。また、図１０中の３個の導電部材２２Ｂのうち左に位置された導電部材２２Ｂは、複数の直列電池群７Ａ〜７Ｅのうちの２個の直列電池群７Ｄ，７Ｅにおいて一対の導電部材２３の一方が設けられた電池セル５ｄ１，５ｅ１から数えてそれぞれ同じ番目の電池セル５である、電池セル５ｄ１，５ｅ１を並列に接続するとともに、上記同じ番目の電池セル５である電池セル５ｄ２，５ｅ２を並列に接続している。また、該導電部材２２Ｂは、直列電池群７Ａ〜７Ｅの数の２倍の数から２を減算した数以下の数、つまり本実施形態では５×２−２＝８以下の数である４個の電池セル５ｄ１，５ｄ２，５ｅ１，５ｅ２を接続している。
【００５９】
以上説明したとおり、本実施形態では、導電部材２２Ａ，２２Ｂによって、電池セル５を直並列に接続しているので、電池セル５の状況の検出精度の低下を低く抑えつつ、電池セル５の状況検出の効率を向上させることができる。
【００６０】
＜第７の実施形態＞
図１１は、本実施形態にかかる組電池装置１における蓄電部２の一例を示す斜視図であり、図１２は、本実施形態にかかる組電池装置１における蓄電部２の一例を示す平面図である。図１１，１２に示すように、本実施形態では、電池セル５の数と、導電部材群４の構成とが第１の実施形態と異なる。
【００６１】
本実施形態では、６個の電池セル５が、２列の電池列６Ａ，６Ｂを構成している。１列目の電池列６Ａは、電池セル５ａ１〜５ａ３によって構成されている。２列目の電池列６Ｂは、電池セル５ｂ１〜５ｂ３によって構成されている。各電池列６Ａ，６Ｂの電池セル５は、それぞれ直列に接続され、各電池列６Ａ，６Ｂは並列に接続されている。
【００６２】
本実施形態では、導電部材群４は、２個の導電部材２１と、１個の導電部材２２Ｂと、一対の導電部材２３と、を有している。本実施形態では、導電部材２１，２２Ｂが第一の導電部材の一例である。なお、本実施形態では、導電部材２３は、２個の電池セル５を並列にのみ接続する。
【００６３】
本実施形態では、一例として、導電部材２１，２２Ｂが、複数の電池セル５を複数列の直列に接続して複数（一例として２個）の直列電池群７Ａ，７Ｂとしている。詳細には、直列電池群７Ａは、１列目の電池列６Ａ（電池セル５ａ１〜５ａ３）によって構成されている。直列電池群７Ｂは、２列目の電池列６Ｂ（電池セル５ｂ１〜５ｂ３）によって構成されている。これら複数の直列電池群７Ａ，７Ｂは、一対の導電部材２３によって並列に接続されている。
【００６４】
また、本実施形態では、一例として、各導電部材２１，２２Ｂ，２３の接触部４ａが、凸状に構成されている。
【００６５】
＜第８の実施形態＞
図１３は、本実施形態にかかる組電池装置１における蓄電部２の一例を示す平面図である。図１３に示すように、本実施形態では、電池セル５の配列と、導電部材群４の構成とが第７の実施形態と異なる。
【００６６】
本実施形態では、６個の電池セル５が、３列の電池列６Ａ，６Ｂ，６Ｃを構成している。１列目の電池列６Ａは、電池セル５ａ１，５ａ２によって構成されている。２列目の電池列６Ｂは、電池セル５ｂ１，５ｂ２によって構成されている。３列目の電池列６Ｃは、電池セル５ｃ１，５ｃ２によって構成されている。各電池列６Ａ〜６Ｃの電池セル５は、それぞれ直列に接続され、各電池列６Ａ〜６Ｃは並列に接続されている。
【００６７】
本実施形態では、導電部材群４は、１個の導電部材２１と、１個の導電部材２２Ｂと、一対の導電部材２３と、を有している。本実施形態では、導電部材２１，２２Ｂが第一の導電部材の一例である。なお、本実施形態では、導電部材２３は、３個の電池セル５を並列にのみ接続する。
【００６８】
本実施形態では、一例として、導電部材２１，２２Ｂが、複数の電池セル５を複数列の直列に接続して複数（一例として３個）の直列電池群７Ａ〜７Ｃとしている。詳細には、直列電池群７Ａは、１列目の電池列６Ａ（電池セル５ａ１，５ａ２）によって構成されている。直列電池群７Ｂは、２列目の電池列６Ｂ（電池セル５ｂ１，５ｂ２）によって構成されている。直列電池群７Ｃは、３列目の電池列６Ｃ（電池セル５ｃ１，５ｃ２）によって構成されている。これら複数の直列電池群７Ａ〜７Ｃは、一対の導電部材２３によって並列に接続されている。
【００６９】
＜第９の実施形態＞
図１４は、本実施形態にかかる組電池装置１における蓄電部２の一例を示す平面図である。図１４に示すように、本実施形態では、電池セル５の配列と、導電部材群４の構成とが第７の実施形態と異なる。
【００７０】
本実施形態では、８個の電池セル５が、２列の電池列６Ａ，６Ｂを構成している。１列目の電池列６Ａは、電池セル５ａ１〜５ａ４によって構成されている。２列目の電池列６Ｂは、電池セル５ｂ１〜５ｂ４によって構成されている。各電池列６Ａ，６Ｂの電池セル５は、それぞれ直列に接続され、各電池列６Ａ，６Ｂは並列に接続されている。
【００７１】
本実施形態では、導電部材群４は、４個の導電部材２１と、１個の導電部材２２Ｂと、一対の導電部材２３と、を有している。本実施形態では、導電部材２１，２２Ｂが第一の導電部材の一例である。なお、本実施形態では、導電部材２３は、２個の電池セル５を並列にのみ接続する。
【００７２】
本実施形態では、一例として、導電部材２１，２２Ｂが、複数の電池セル５を複数列の直列に接続して複数（一例として２個）の直列電池群７Ａ，７Ｂとしている。詳細には、直列電池群７Ａは、１列目の電池列６Ａ（電池セル５ａ１〜５ａ４）によって構成されている。直列電池群７Ｂは、２列目の電池列６Ｂ（電池セル５ｂ１〜５ｂ４）によって構成されている。これら複数の直列電池群７Ａ，７Ｂは、一対の導電部材２３によって並列に接続されている。
【００７３】
次に、本実施形態の第１および第２の変形例を説明する。図１５に示すように、第１の変形例は、導電部材２１，２２Ｂの配置が、図１４の配置と異なる。また、図１６に示すように、第２の変形例では、導電部材群４は、２個の導電部材２１と、２個の導電部材２２Ｂと、一対の導電部材２３と、を有した構成である。
【００７４】
＜第１０の実施形態＞
図１７は、本実施形態にかかる組電池装置１における蓄電部２の一例を示す平面図である。図１７に示すように、本実施形態では、電池セル５の配列と、導電部材群４の構成とが第７の実施形態と異なる。
【００７５】
本実施形態では、８個の電池セル５が、４列の電池列６Ａ〜６Ｄを構成している。１列目の電池列６Ａは、電池セル５ａ１，５ａ２によって構成されている。２列目の電池列６Ｂは、電池セル５ｂ１，５ｂ２によって構成されている。３列目の電池列６Ｃは、電池セル５ｃ１，５ｃ２によって構成されている。４列目の電池列６Ｄは、電池セル５ｄ１，５ｄ２によって構成されている。各電池列６Ａ〜６Ｄの電池セル５は、それぞれ直列に接続され、各電池列６Ａ〜６Ｄは並列に接続されている。
【００７６】
本実施形態では、導電部材群４は、２個の導電部材２１と、１個の導電部材２２Ｂと、一対の導電部材２３と、を有している。本実施形態では、導電部材２１，２２Ｂが第一の導電部材の一例である。なお、本実施形態では、導電部材２３は、４個の電池セル５を並列にのみ接続する。
【００７７】
本実施形態では、一例として、導電部材２１，２２Ｂが、複数の電池セル５を複数列の直列に接続して複数（一例として４個）の直列電池群７Ａ〜７Ｄとしている。詳細には、直列電池群７Ａは、１列目の電池列６Ａ（電池セル５ａ１，５ａ２）によって構成されている。直列電池群７Ｂは、２列目の電池列６Ｂ（電池セル５ｂ１，５ｂ２）によって構成されている。直列電池群７Ｃは、３列目の電池列６Ｃ（電池セル５ｃ１，５ｃ２）によって構成されている。直列電池群７Ｄは、４列目の電池列６Ｄ（電池セル５ｄ１，５ｄ２）によって構成されている。これら複数の直列電池群７Ａ〜７Ｄは、一対の導電部材２３によって並列に接続されている。
【００７８】
次に、本実施形態の第１〜第３の変形例を説明する。図１８に示すように、第１の変形例は、導電部材２１，２２Ｂの配置が、図１７の配置と異なる。また、図１９に示すように、第２の変形例では、導電部材群４は、２個の導電部材２２Ｂと、一対の導電部材２３と、を有した構成である。また、図２０に示すように、第３の変形例では、導電部材群４は、１個の導電部材２１と、１個の導電部材２２Ａと、一対の導電部材２３と、を有した構成である。
【００７９】
＜第１１の実施形態＞
図２１は、本実施形態にかかる組電池装置１における蓄電部２の一例を示す平面図である。図２１に示すように、本実施形態では、電池セル５の配列と、導電部材群４の構成とが第７の実施形態と異なる。
【００８０】
本実施形態では、９個の電池セル５が、３列の電池列６Ａ〜６Ｃを構成している。１列目の電池列６Ａは、電池セル５ａ１〜５ａ３によって構成されている。２列目の電池列６Ｂは、電池セル５ｂ１〜５ｂ３によって構成されている。３列目の電池列６Ｃは、電池セル５ｃ１〜５ｃ３によって構成されている。各電池列６Ａ〜６Ｃの電池セル５は、それぞれ直列に接続され、各電池列６Ａ〜６Ｃは並列に接続されている。
【００８１】
本実施形態では、導電部材群４は、４個の導電部材２１と１個の導電部材２２Ｂと、一対の導電部材２３と、を有している。本実施形態では、導電部材２１，２２Ｂが第一の導電部材の一例である。なお、本実施形態では、導電部材２３は、３個の電池セル５を並列にのみ接続する。
【００８２】
本実施形態では、一例として、導電部材２１，２２Ｂが、複数の電池セル５を複数列の直列に接続して複数（一例として３個）の直列電池群７Ａ〜７Ｃとしている。詳細には、直列電池群７Ａは、１列目の電池列６Ａ（電池セル５ａ１〜５ａ３）によって構成されている。直列電池群７Ｂは、２列目の電池列６Ｂ（電池セル５ｂ１〜５ｂ３）によって構成されている。直列電池群７Ｃは、３列目の電池列６Ｃ（電池セル５ｃ１〜５ｃ３）によって構成されている。これら複数の直列電池群７Ａ〜７Ｃは、一対の導電部材２３によって並列に接続されている。
【００８３】
次に、本実施形態の第１〜第３の変形例を説明する。図２２に示すように、第１の変形例では、導電部材群４は、２個の導電部材２１と、２個の導電部材２２Ｂと、一対の導電部材２３と、を有した構成である。また、図２３に示すように、第２の変形例では、導電部材群４は、３個の導電部材２１と、１個の導電部材２２Ａと、一対の導電部材２３と、を有した構成である。また、図２４に示すように、第３の変形例では、導電部材群４は、１個の導電部材２１と、１個の導電部材２２Ａと、１個の導電部材２２Ｂと、一対の導電部材２３と、を有した構成である。
【００８４】
＜第１２の実施形態＞
図２５は、本実施形態にかかる組電池装置１における蓄電部２の一例を示す平面図である。図２５に示すように、本実施形態では、電池セル５の配列と、導電部材群４の構成とが第７の実施形態と異なる。
【００８５】
本実施形態では、１２個の電池セル５が、４列の電池列６Ａ〜６Ｄを構成している。１列目の電池列６Ａは、電池セル５ａ１〜５ａ３によって構成されている。２列目の電池列６Ｂは、電池セル５ｂ１〜５ｂ３によって構成されている。３列目の電池列６Ｃは、電池セル５ｃ１〜５ｃ３によって構成されている。４列目の電池列６Ｄは、電池セル５ｄ１〜５ｄ３によって構成されている。各電池列６Ａ〜６Ｄの電池セル５は、それぞれ直列に接続され、各電池列６Ａ〜６Ｄは並列に接続されている。
【００８６】
本実施形態では、導電部材群４は、６個の導電部材２１と、１個の導電部材２２Ｂと、一対の導電部材２３と、を有している。本実施形態では、導電部材２１，２２Ｂが第一の導電部材の一例である。なお、本実施形態では、導電部材２３は、４個の電池セル５を並列にのみ接続する。
【００８７】
本実施形態では、一例として、導電部材２１，２２Ｂが、複数の電池セル５を複数列の直列に接続して複数（一例として４個）の直列電池群７Ａ〜７Ｄとしている。詳細には、直列電池群７Ａは、１列目の電池列６Ａ（電池セル５ａ１〜５ａ３）によって構成されている。直列電池群７Ｂは、２列目の電池列６Ｂ（電池セル５ｂ１〜５ｂ３）によって構成されている。直列電池群７Ｃは、３列目の電池列６Ｃ（電池セル５ｃ１〜５ｃ３）によって構成されている。直列電池群７Ｄは、４列目の電池列６Ｄ（電池セル５ｄ１〜５ｄ３）によって構成されている。これら複数の直列電池群７Ａ〜７Ｄは、一対の導電部材２３によって並列に接続されている。
【００８８】
次に、本実施形態の変形例を説明する。
【００８９】
図２６に示すように、第１の変形例では、導電部材群４は、４個の導電部材２１と、２個の導電部材２２Ｂと、一対の導電部材２３と、を有して構成されている。
【００９０】
図２７に示すように、第２の変形例では、導電部材群４は、２個の導電部材２１と、３個の導電部材２２Ｂと、一対の導電部材２３と、を有して構成されている。
【００９１】
図２８に示すように、第３の変形例では、導電部材群４は、４個の導電部材２１と、２個の導電部材２２Ｂと、一対の導電部材２３と、を有して構成されている。
【００９２】
図２９に示すように、第４の変形例では、導電部材群４は、４個の導電部材２２Ｂと、一対の導電部材２３と、を有して構成されている。
【００９３】
図３０に示すように、第５の変形例では、導電部材群４は、５個の導電部材２１と、１個の導電部材２２Ａと、一対の導電部材２３と、を有して構成されている。
【００９４】
図３１に示すように、第６の変形例では、導電部材群４は、３個の導電部材２１と、１個の導電部材２２Ａと、１個の導電部材２２Ｂと、一対の導電部材２３と、を有して構成されている。
【００９５】
図３２に示すように、第７の変形例では、導電部材群４は、３個の導電部材２１と、１個の導電部材２２Ａと、１個の導電部材２２Ｂと、一対の導電部材２３と、を有して構成されている。
【００９６】
図３３に示すように、第８の変形例では、導電部材群４は、１個の導電部材２１と、１個の導電部材２２Ａと、２個の導電部材２２Ｂと、一対の導電部材２３と、を有して構成されている。
【００９７】
図３４に示すように、第９の変形例では、導電部材群４は、２個の導電部材２１と、２個の導電部材２２Ａと、一対の導電部材２３と、を有して構成されている。
【００９８】
図３５に示すように、第１０の変形例では、導電部材群４は、２個の導電部材２１と、２個の導電部材２２Ａと、一対の導電部材２３と、を有して構成されている。
【００９９】
図３６に示すように、第１１の変形例では、導電部材群４は、４個の導電部材２１と、１個の導電部材２２Ｄと、一対の導電部材２３と、を有して構成されている。導電部材２２Ｄは、８個の電池セル５を直並列に接続する。
【０１００】
図３７に示すように、第１２の変形例では、導電部材群４は、２個の導電部材２１と、１個の導電部材２２Ｂと、１個の導電部材２２Ｄと、一対の導電部材２３と、を有して構成されている。
【０１０１】
図３８に示すように、第１３の変形例では、導電部材群４は、２個の導電部材２２Ｂと、１個の導電部材２２Ｄと、一対の導電部材２３と、を有して構成されている。
【０１０２】
図３９に示すように、第１４の変形例では、導電部材群４は、１個の導電部材２１と、１個の導電部材２２Ａと、１個の導電部材２２Ｄと、一対の導電部材２３と、を有して構成されている。
【０１０３】
以上のとおり、上記各実施形態および変形例によれば、一例として、電池セル５の電圧（状況）の検出精度の低下を低く抑えつつ、電池セル５の電圧（状況）検出の効率を向上させることができる。
【０１０４】
以上、本発明の実施形態および変形例を例示したが、上記実施形態および変形例はあくまで一例であって、発明の範囲を限定することは意図していない。これら実施形態および変形例は、その他の様々な形態で実施されることが可能であり、発明の要旨を逸脱しない範囲で、種々の省略、置き換え、組み合わせ、変更を行うことができる。これら実施形態、変形例およびそれらの変形は、発明の範囲や要旨に含まれるとともに、特許請求の範囲に記載された発明とその均等の範囲に含まれる。また、各構成要素のスペック（構造や、種類、方向、形状、大きさ、長さ、幅、厚さ、高さ、数、配置、位置、材質等）は、適宜に変更して実施することができる。
【０１０５】
例えば、電池としては、電池セル５に限るものではなく、複数の電池セル５が接続された組電池であってもよい。この場合、蓄電部２は、複数の組電池を有する。
【符号の説明】
【０１０６】
１…組電池装置、２…蓄電部、３…検出部、４…導電部材群、４ａ…接触部、５…電池セル、６Ａ〜６Ｊ…電池列、７Ａ〜７Ｊ…直列電池群、９…管理装置、１２…正電極部（電極部）、１３…負電極部（電極部）、２１，２２，２２Ａ，２２Ｂ，２２Ｃ，２２Ｄ…導電部材（第一の導電部材）、２３…導電部材（第二の導電部材）。
【図１】
2015032391.tif 000003
【図２】
2015032391.tif 000004
【図３】
2015032391.tif 000005
【図４】
2015032391.tif 000006
【図５】
2015032391.tif 000007
【図６】
2015032391.tif 000008
【図７】
2015032391.tif 000009
【図８】
2015032391.tif 000010
【図９】
2015032391.tif 000011
【図１０】
2015032391.tif 000012
【図１１】
2015032391.tif 000013
【図１２】
2015032391.tif 000014
【図１３】
2015032391.tif 000015
【図１４】
2015032391.tif 000016
【図１５】
2015032391.tif 000017
【図１６】
2015032391.tif 000018
【図１７】
2015032391.tif 000019
【図１８】
2015032391.tif 000020
【図１９】
2015032391.tif 000021
【図２０】
2015032391.tif 000022
【図２１】
2015032391.tif 000023
【図２２】
2015032391.tif 000024
【図２３】
2015032391.tif 000025
【図２４】
2015032391.tif 000026
【図２５】
2015032391.tif 000027
【図２６】
2015032391.tif 000028
【図２７】
2015032391.tif 000029
【図２８】
2015032391.tif 000030
【図２９】
2015032391.tif 000031
【図３０】
2015032391.tif 000032
【図３１】
2015032391.tif 000033
【図３２】
2015032391.tif 000034
【図３３】
2015032391.tif 000035
【図３４】
2015032391.tif 000036
【図３５】
2015032391.tif 000037
【図３６】
2015032391.tif 000038
【図３７】
2015032391.tif 000039
【図３８】
2015032391.tif 000040
【図３９】
2015032391.tif 000041